(57)【要約】     【課題】  地上放送波に加えて衛星放送を受信可能である上に、地上放送波の受信特性を改善できるテレビジョン信号受信装置を提供する。    【解決手段】  このテレビジョン信号受信装置２０は、第１アンテナとしての平面アンテナ１４を含むマイクロ波ミリ波無線受信部１９と、地上放送波６５を受信する第２アンテナとしての地上波受信用の平面アンテナ１６とを有する。マイクロ波ミリ波無線受信部１９は、平面アンテナ１４に接続された周波数ダウンコンバータ回路１１を有し、この周波数ダウンコンバータ回路１１は、平面アンテナ１４で受信されたマイクロ波ミリ波無線送信信号６０を周波数ダウンコンバートして、第１の出力信号２４を出力する。一方、平面アンテナ１６は地上放送波６５を直接受信して、第２の出力信号１を出力する。【選択図】  図１
2005086300.tif 000002
【特許請求の範囲】
【請求項１】
マイクロ波帯乃至ミリ波帯の無線信号を受信する第１アンテナを含むマイクロ波ミリ波無線受信部と、
地上放送波を受信する第２アンテナと、
上記マイクロ波ミリ波無線受信部が出力する第１出力信号と上記第２アンテナが出力する第２出力信号とが入力され、上記第１出力信号と第２出力信号の少なくとも一方を出力する出力部とを備えたことを特徴とするテレビジョン信号受信装置。
【請求項２】
請求項１に記載のテレビジョン信号受信装置を備えたことを特徴とする電子機器。
【請求項３】
放送波を受信する放送波受信部と、上記放送波受信部で受信した放送波をマイクロ波帯乃至ミリ波帯の無線信号にして無線送信するマイクロ波ミリ波無線送信部とを有するマイクロ波ミリ波無線送信装置と、
請求項１に記載のテレビジョン信号受信装置と、
を備えたことを特徴とするテレビジョン信号送受信装置。
【請求項４】
請求項１に記載のテレビジョン信号受信装置において、
上記第１アンテナおよび上記第２アンテナの少なくとも一方の向きを変える向き変更部を備えたことを特徴とするテレビジョン信号受信装置。
【請求項５】
請求項１または４に記載のテレビジョン信号受信装置において、
上記第２アンテナは、上記第１アンテナの指向性よりも弱い指向性を有するアンテナもしくは無指向性のアンテナであることを特徴とするテレビジョン信号受信装置。
【請求項６】
請求項５に記載のテレビジョン信号受信装置において、
上記第２アンテナは、平面アンテナであることを特徴とするテレビジョン信号受信装置。
【請求項７】
上記請求項６に記載のテレビジョン信号受信装置において、
上記第２アンテナは、ＶＨＦ帯乃至ＵＨＦ帯の信号に共振する複数の共振器を備えたことを特徴とするテレビジョン信号受信装置。
【請求項８】
上記請求項１に記載のテレビジョン信号受信装置において、
テレビ受像機から電源電力を得るために、上記テレビ受像機に接続される電力供給部を備えたことを特徴とするテレビジョン信号受信装置。
【請求項９】
上記請求項１に記載のテレビジョン信号受信装置において、
上記出力部は、
上記第１出力信号の出力レベルを検出して検出信号を出力する出力検出回路と、
上記第１出力信号と第２出力信号および上記検出信号が入力され、上記検出信号が上記第１出力信号の出力レベルが所定値を越えたことを表しているときに、第１出力信号のみを出力する一方、上記検出信号が上記第１出力信号の出力レベルが所定値以下であることを表しているときに、上記第２出力信号のみを出力する切換制御部を有することを特徴とするテレビジョン信号受信装置。
【請求項１０】
上記請求項１に記載のテレビジョン信号受信装置において、
上記出力部は、
上記第１出力信号を出力する第１出力端子と、上記第２出力信号を出力する第２出力端子を有することを特徴とするテレビジョン信号受信装置。
【請求項１１】
請求項１に記載のテレビジョン信号受信装置において、
上記マイクロ波ミリ波無線受信部は、
第１偏波の無線信号を受信する第１のマイクロ波ミリ波無線受信回路と第２偏波の無線信号を受信する第２のマイクロ波ミリ波無線受信回路とを有することを特徴とするテレビジョン信号受信装置。
【請求項１２】
請求項３に記載のテレビジョン信号送受信装置において、
上記マイクロ波ミリ波無線送信装置は、
第１のマイクロ波ミリ波無線送信機と第２のマイクロ波ミリ波無線送信機とを備え、
上記第１のマイクロ波ミリ波無線送信機は、
第１の放送波を受信する第１の放送波受信部と、上記第１の放送波受信部で受信した第１の放送波を第１偏波のマイクロ波帯乃至ミリ波帯の無線信号にして無線送信する第１のマイクロ波ミリ波無線送信部とを有し、
上記第２のマイクロ波ミリ波無線送信機は、
第２の放送波を受信する第２の放送波受信部と、上記第２の放送波受信部で受信した第２の放送波を第２偏波のマイクロ波帯乃至ミリ波帯の無線信号にして無線送信する第２のマイクロ波ミリ波無線送信部とを有し、
上記テレビジョン信号受信装置が有する上記マイクロ波ミリ波無線受信部は、
上記第１偏波のマイクロ波帯乃至ミリ波帯の無線信号を受信する第１のマイクロ波ミリ波無線受信回路と上記第２偏波のマイクロ波帯乃至ミリ波帯の無線信号を受信する第２のマイクロ波ミリ波無線受信回路とを有することを特徴とするテレビジョン信号送受信装置。
【発明の詳細な説明】
【技術分野】
【０００１】
この発明は、テレビジョン信号受信装置、テレビジョン信号送受信装置および電子機器に関する。一例として、ＴＶ(テレビジョン)室内アンテナとミリ波帯無線送信装置およびミリ波帯無線受信装置からなるＴＶ信号送受信装置に関する。
【背景技術】
【０００２】
(第１の従来例)
図７に、第１の従来例として、特開平１１-３１３０２０号公報に示されているＴＶ信号送受信システムを示す。このＴＶ信号送受信システムでは、ＴＶ信号は、ブロックコンバータ１００１を経て屋内のアンテナ端子１０００からミリ波送信機１３５０に入力され、ミリ波帯にアップコンバートされてアンテナ１０４０により送信される。上記アンテナ１０４０により送信されたミリ波帯の信号１１１０は、ミリ波受信機１４５０,１４００のアンテナ１１２０により受信され、ダウンコンバートされて、屋内にある複数台のＴＶ等の電子機器１５００に入力される。
【０００３】
また、このＴＶ信号送受信システムでは、地上波ＴＶ放送や、衛星放送等の複数の放送波を取り扱い、必要に応じて、送信機１３５０の入力側で周波数の配列や、受信機１４５０の出力側で周波数の逆配列等が行なわれる。
【０００４】
また、このＴＶ信号送受信システムでは、１つの屋内や部屋では、基本的には１つのＴＶ信号線に対応する１つのアンテナ端子１０００には、１つの送信機１３５０が配置され、複数のミリ波受信機１４５０で受信する構成となっている。
【０００５】
(第２の従来例)
また、特開昭６４−６７００９号公報では、図８に示すようなＴＶの室内アンテナ１１００が提案されている。このＴＶの室内アンテナ１１００は、テレビ受像機もしくはテレビ受像機の周囲に配置され、ＶＨＦ帯ないしＵＨＦ帯の地上放送波に対応している。この室内アンテナ１１００の基本構成は、ＵＨＦ帯のループアンテナ１１０１、およびロッドアンテナ１１０２ａ,１１０２ｂより構成される。また、感度切り替え等のスイッチ等(図示せず)も有している。
【０００６】
(第３の従来例)
また、第３の従来例として、図９に示すような、携帯ＴＶや液晶ＴＶ１１１１に固定搭載され、ＴＶ１１１１と一体となっているロッドアンテナ１１０３が有る。このロッドアンテナ１１０３は、回転機能および伸縮機能を有している。
【０００７】
上記第２,第３の従来例のような室内アンテナ１１００やロッドアンテナ１１０３を有する小型テレビは、すでに製品化され広く使用されている。
【０００８】
ところで、図７に示す第１の従来例のＴＶ信号送受信システムは、次の２つの課題を有している。
【０００９】
(１)  ミリ波の自由伝搬損失が大きく、壁・ドア等の水分を含んだ木質系や畳、セメント等に対して透過損失が大きく、１つのミリ波送信機１３５０に対するミリ波受信エリアが狭い。
【００１０】
(２)  ミリ波送信機１３５０とミリ波受信機１４５０との間の直線状の区間に人体やセメント等の水分を含んだ遮断物が入ると、この遮断物によって送信信号が、吸収・遮断され、ミリ波受信機１４５０で受信することができない。
【００１１】
一方、第２の従来例の室内アンテナ１１００を有したＴＶ受像機では、受信可能な放送の対象がＶＨＦないしＵＨＦ帯の地上放送波に限定され、衛星放送が受信できなかった。また、通常、室内アンテナ１１００で受信した地上波のＴＶ信号では、良好な映像特性を得ることが困難であるという問題があった。
【００１２】
また、第３従来例のように、室内アンテナとして長さが１ｍ程度のロッドアンテナ１１０３を用いている場合には、視聴するチャンネルに応じて、長さ(共振長)を変えたり、方向等を調整する必要があった。加えて、ロッドアンテナ１１０３は、周囲のものにぶつかったり、折れたり、本体自体が倒れたりして、使い難いという問題があった。
【特許文献１】特開平１１−３１３０２０号公報
【特許文献２】特開昭６４−６７００９号公報
【発明の開示】
【発明が解決しようとする課題】
【００１３】
そこで、この発明の課題は、ＶＨＦ帯およびＵＨＦ帯等の地上放送波に加えてケーブルＴＶ(ＣＡＴＶ)や衛星放送までを受信可能であり、加えて、地上放送波の受信特性を改善できるテレビジョン信号受信装置およびテレビジョン信号送受信装置を提供することにある。
【課題を解決するための手段】
【００１４】
上記課題を解決するため、この発明のテレビジョン信号受信装置は、マイクロ波帯乃至ミリ波帯の無線信号を受信する第１アンテナを含むマイクロ波ミリ波無線受信部と、
地上放送波を受信する第２アンテナと、
上記マイクロ波ミリ波無線受信部が出力する第１出力信号と上記第２アンテナが出力する第２出力信号とが入力され、上記第１出力信号と第２出力信号の少なくとも一方を出力する出力部とを備えたことを特徴としている。
【００１５】
この発明のテレビジョン信号受信装置では、たとえば、マイクロ波ミリ波無線送信装置が、衛星放送波ならびにＵＨＦ帯〜ＶＨＦ帯の地上放送波をマイクロ波帯乃至ミリ波帯の無線信号に変換して送信すると、このマイクロ波帯乃至ミリ波帯の無線信号を、上記マイクロ波ミリ波無線受信部が有する第１アンテナでもって受信する。これにより、上記マイクロ波ミリ波無線受信部でもって、衛星放送波ならびにＵＨＦ帯〜ＶＨＦ帯の地上放送波を受信できる。
【００１６】
一方、このテレビジョン信号受信装置は地上放送波信号を受信する第２アンテナを有しているから、上記マイクロ波ミリ波無線受信部がカバーできないエリアにおいて上記第２アンテナでもって地上放送波を受信できる。
【００１７】
したがって、この発明によれば、ＶＨＦ帯およびＵＨＦ帯等の地上放送波に加えてケーブルＴＶ(ＣＡＴＶ)や衛星放送までを受信可能であり、加えて、地上放送波の受信特性を改善できるテレビジョン信号受信装置を実現できる。
【００１８】
また、一実施形態の電子機器では、上記テレビジョン信号受信装置を備えた。
【００１９】
この実施形態の電子機器では、一例として、上記テレビジョン信号受信装置を備えたテレビ受像機とすることで、マイクロ波乃至ミリ波の無線信号が届く範囲内でどこでも持ち運んで放送を視聴可能になる。
【００２０】
また、一実施形態のテレビジョン信号送受信装置は、放送波を受信する放送波受信部と、上記放送波受信部で受信した放送波をマイクロ波帯乃至ミリ波帯の無線信号にして無線送信するマイクロ波ミリ波無線送信部とを有するマイクロ波ミリ波無線送信装置と、請求項１に記載のテレビジョン信号受信装置とを備えた。
【００２１】
この実施形態のテレビジョン信号送受信装置では、上記マイクロ波ミリ波無線送信装置は、放送波受信部によって、衛星放送波や地上放送波の放送波を受信し、この放送波は、上記マイクロ波ミリ波無線送信部によって、マイクロ波帯乃至ミリ波帯の無線信号に変換されて無線送信される。すると、このマイクロ波帯乃至ミリ波帯の無線信号は、上記テレビジョン信号受信装置が有するマイクロ波ミリ波無線受信部の第１アンテナで受信され、マイクロ波ミリ波無線受信部から第１出力信号として出力される。
【００２２】
一方、上記テレビジョン信号受信装置の第２アンテナは、地上放送波信号を直接受信する。
【００２３】
したがって、この実施形態によれば、上記マイクロ波ミリ波無線送信装置から上記テレビジョン信号受信装置へマイクロ波帯乃至ミリ波帯の無線信号を送信することにより、上記マイクロ波ミリ波無線受信部でもって、衛星放送波ならびにＵＨＦ帯〜ＶＨＦ帯の地上放送波を受信できる。
【００２４】
一方、このテレビジョン信号受信装置は地上放送波信号を受信する第２アンテナを有しているから、上記マイクロ波ミリ波無線受信部がカバーできないエリアにおいて上記第２アンテナでもって地上放送波を受信できる。
【００２５】
したがって、この実施形態によれば、ＶＨＦ帯およびＵＨＦ帯等の地上放送波に加えてケーブルＴＶ(ＣＡＴＶ)や衛星放送までを受信可能であり、加えて、地上放送波の受信特性を改善できるテレビジョン信号送受信装置を実現できる。
【００２６】
また、一実施形態のテレビジョン信号受信装置は、上記第１アンテナおよび上記第２アンテナの少なくとも一方の向きを変える向き変更部を備えた。
【００２７】
この実施形態のテレビジョン信号受信装置では、上記向き変更部で第１,第２アンテナの向きを変更することで、受信特性を改善できる。
【００２８】
また、一実施形態のテレビジョン信号受信装置では、上記第２アンテナは、上記第１アンテナの指向性よりも弱い指向性を有するアンテナもしくは無指向性のアンテナである。
【００２９】
この実施形態のテレビジョン信号受信装置では、地上放送波を受信する第２アンテナを、マイクロ波ミリ波帯の無線信号を受信する第１アンテナの指向性よりも弱い指向性を有するアンテナもしくは無指向性のアンテナとした。これにより、たとえば、地上放送波をマイクロ波ミリ波無線受信部が出力する第１出力信号で受信しているときに、マイクロ波ミリ波帯の無線信号の無線伝送区間に人体等の遮蔽物が入った際に、第２アンテナが出力する第２出力信号での受信に切り替えることによって、地上放送波を途切れなく受信できる。したがって、高信頼性のテレビジョン信号受信装置を実現できる。
【００３０】
また、一実施形態のテレビジョン信号受信装置では、上記第２アンテナは、平面アンテナである。
【００３１】
この実施形態では、地上放送波用の上記第２アンテナを平面アンテナとしたから、ロッドアンテナのように長さを変える必要がなく、かつ方位に関しても、ほぼ無調整で使用可能である。また、第２アンテナを、マイクロ波ミリ波帯の無線信号を受信する第１アンテナと一体化することも容易になる。第１アンテナと第２アンテナを１つの筐体に一体化した場合には、小型でコンパクトな使い勝手のよいテレビジョン信号受信装置を実現できる。
【００３２】
また、一実施形態のテレビジョン信号受信装置では、上記平面アンテナは、ＶＨＦ帯乃至ＵＨＦ帯の信号に共振する複数の共振器を備えた。
【００３３】
この実施形態のテレビジョン信号受信装置では、上記平面アンテナが、ＶＨＦ帯乃至ＵＨＦ帯の信号に共振する複数の共振器を備えたことで、複数の方位に関しても、ほぼ無調整で使用することが可能となる。
【００３４】
また、一実施形態のテレビジョン信号受信装置では、テレビ受像機から電源電力を得るために、上記テレビ受像機に接続される電力供給部を備えた。
【００３５】
この実施形態のテレビジョン信号受信装置では、上記電力供給部をテレビ受像機に接続して電源電力を得ることができるので、電源のための配線を簡素化できる。
【００３６】
また、一実施形態のテレビジョン信号受信装置は、上記出力部は、上記第１出力信号の出力レベルを検出して検出信号を出力する出力検出回路と、上記第１出力信号と第２出力信号および上記検出信号が入力され、上記検出信号が上記第１出力信号の出力レベルが所定値を越えたことを表しているときに、第１出力信号のみを出力する一方、上記検出信号が上記第１出力信号の出力レベルが所定値以下であることを表しているときに、上記第２出力信号のみを出力する切換制御部を有する。
【００３７】
この実施形態のテレビジョン信号受信装置では、上記切換制御部により、マイクロ波ミリ波無線受信部が出力する第１出力信号の強弱に応じて、第１アンテナによる受信モードと第２アンテナによる受信モードとを切り換えるので、より信頼性の高い受信特性が得られる。
【００３８】
また、一実施形態のテレビジョン信号受信装置では、上記出力部は、上記第１出力信号を出力する第１出力端子と、上記第２出力信号を出力する第２出力端子を有する。
【００３９】
この実施形態では、上記第１出力端子から上記第１出力信号を、上記第２出力端子から上記第２出力信号を、それぞれ、独立した経路で出力することが可能となる。
【００４０】
また、一実施形態のテレビジョン信号受信装置では、上記マイクロ波ミリ波無線受信部は、第１偏波の無線信号を受信する第１のマイクロ波ミリ波無線受信回路と第２偏波の無線信号を受信する第２のマイクロ波ミリ波無線受信回路とを有する。
【００４１】
この実施形態のテレビジョン信号受信装置によれば、一例として、第１偏波の無線信号を衛星放送波に割り当て、第２偏波の無線信号をＵＨＦ帯(もしくはＶＨＦ帯)の地上放送波に割り当てることで、低歪みで混信を抑えつつ、衛星放送波からＵＨＦ帯(もしくはＶＨＦ帯)の地上放送波までの広帯域のマイクロ波ミリ波無線伝送が可能となる。
【００４２】
また、一実施形態のテレビジョン信号送受信装置では、上記マイクロ波ミリ波無線送信装置は、第１のマイクロ波ミリ波無線送信機と第２のマイクロ波ミリ波無線送信機とを備え、
上記第１のマイクロ波ミリ波無線送信機は、第１の放送波を受信する第１の放送波受信部と、上記第１の放送波受信部で受信した第１の放送波を第１偏波のマイクロ波帯乃至ミリ波帯の無線信号にして無線送信する第１のマイクロ波ミリ波無線送信部とを有し、
上記第２のマイクロ波ミリ波無線送信機は、第２の放送波を受信する第２の放送波受信部と、上記第２の放送波受信部で受信した第２の放送波を第２偏波のマイクロ波帯乃至ミリ波帯の無線信号にして無線送信する第２のマイクロ波ミリ波無線送信部とを有し、
上記テレビジョン信号受信装置が有する上記マイクロ波ミリ波無線受信部は、上記第１偏波のマイクロ波帯乃至ミリ波帯の無線信号を受信する第１のマイクロ波ミリ波無線受信回路と上記第２偏波のマイクロ波帯乃至ミリ波帯の無線信号を受信する第２のマイクロ波ミリ波無線受信回路とを有する。
【００４３】
この実施形態のテレビジョン信号送受信装置では、第１の放送波を第１偏波の無線信号にして無線送信する第１のマイクロ波ミリ波無線送信部と、第２の放送波を第２偏波の無線信号にして無線送信する第２のマイクロ波ミリ波無線送信部とを有した。したがって、一例として、上記第１の放送波を衛星放送波に割り当て、第２の放送波をＵＨＦ帯(もしくはＶＨＦ帯)の地上放送波に割り当てることで、広帯域の無線伝送が可能となるのみならず、第１,第２の各無線送信部への入力レベル調整が容易で歪みの少ない良好な特性で伝送することが可能となる。さらに、第１のマイクロ波ミリ波無線送信部を衛星放送用とし、第２のマイクロ波ミリ波無線送信部を地上放送波用とした場合、第１のマイクロ波ミリ波無線送信部を建物内の衛星放送アンテナ端子の近くに設置でき、第２のマイクロ波ミリ波無線送信部を建物内の地上波アンテナ端子の近くに設置できる。したがって、各アンテナ端子への配線を短縮でき、損失を減少できる。
【発明の効果】
【００４４】
この発明のテレビジョン信号受信装置では、たとえば、マイクロ波ミリ波無線送信装置によって、衛星放送波ならびにＵＨＦ帯〜ＶＨＦ帯の地上放送波をマイクロ波帯乃至ミリ波帯の無線信号に変換して送信すると、このマイクロ波帯乃至ミリ波帯の無線信号を、上記マイクロ波ミリ波無線受信部が有する第１アンテナでもって受信する。これにより、上記マイクロ波ミリ波無線受信部でもって、衛星放送波ならびにＵＨＦ帯〜ＶＨＦ帯の地上放送波を受信できる。
【００４５】
一方、このテレビジョン信号受信装置は地上放送波信号を受信する第２アンテナを有しているから、上記マイクロ波ミリ波無線受信部がカバーできないエリアにおいて上記第２アンテナでもって地上放送波を受信できる。
【００４６】
したがって、この発明によれば、ＶＨＦ帯およびＵＨＦ帯等の地上放送波に加えてケーブルＴＶ(ＣＡＴＶ)や衛星放送までを受信可能であり、加えて、地上放送波の受信特性を改善できるテレビジョン信号受信装置を実現できる。
【発明を実施するための最良の形態】
【００４７】
以下、この発明を図示の実施の形態により詳細に説明する。
【００４８】
(第１の実施の形態)
図１に、この発明の第１実施形態としてのＴＶ信号送受信装置の構成を示す。このＴＶ信号送受信装置は、マイクロ波ミリ波無線送信装置１０とＴＶ信号受信装置２０とを備える。
【００４９】
このマイクロ波ミリ波無線送信装置１０は、放送波受信部としての入力部５と、この入力部５に接続された周波数変換基準信号付加回路２と、この付加回路２に接続されたアップコンバータ３と、このアップコンバータ３に接続された平面アンテナ４とを有する。上記付加回路２,アップコンバータ３および平面アンテナ４がマイクロ波ミリ波無線送信部をなす。上記アップコンバータ３は、ミキサ３ａ,フィルタ３ｂ,アンプ３ｃおよび局部発振器７で構成されている。
【００５０】
このマイクロ波ミリ波無線送信装置１０は、入力部５に、入力信号として、衛星放送波またはＶＨＦ帯乃至ＵＨＦ帯の地上放送波の少なくとも一方が入力される。上記衛星放送波または地上放送波は、上記周波数変換基準信号付加回路２で周波数配列され基準信号が付加された後、アップコンバータ３でマイクロ波帯乃至ミリ波帯の信号へアップコンバートされ、マイクロ波ミリ波無線送信信号６０として平面アンテナ４から送信される。
【００５１】
一方、上記ＴＶ信号受信装置２０は、第１アンテナとしての平面アンテナ１４を含むマイクロ波ミリ波無線受信部１９と、地上放送波６５を受信する第２アンテナとしての地上波受信用の平面アンテナ１６とを有する。この平面アンテナ１６は室内アンテナである。
【００５２】
上記マイクロ波ミリ波無線受信部１９は、上記平面アンテナ１４に接続された周波数ダウンコンバータ回路１１を有し、この周波数ダウンコンバータ回路１１はアンプ１１ａ,フィルタ１１ｂ,周波数ミキサ１１ｃ,アンプ１１ｄで構成されている。
【００５３】
また、このＴＶ信号受信装置２０は、切換制御部としてのＴＶ信号切換スイッチ９と出力検出回路２９および第１出力端子２５ａ,第２出力端子２６ａを有する。この切換スイッチ９と出力検出回路２９および出力端子２５ａ,２６ａが出力部を構成している。上記切換スイッチ９は、第１出力線８Ａで第１出力端子２５ａに接続されるとともに第２出力線８Ｂで第２出力端子２６ａに接続されている。また、上記第１出力端子２５ａは信号線１３ＡでＴＶ受像機３０の衛星放送入力端子３２に接続され、第２出力端子２６ａは信号線１３ＢでＴＶ受像機３０の地上放送波入力端子３１に接続されている。
【００５４】
なお、この第１実施形態では、第１出力端子２５ａは信号線１３Ｃで地上放送波入力端子３１に接続されている。
【００５５】
次に、図２(Ａ),(Ｂ)を参照して、上記ＴＶ信号受信装置２０の構造を説明する。このＴＶ信号受信装置２０は、直方体状の筐体１７と、この筐体１７の底板に固定された支柱４０を有する。上記周波数ダウンコンバータ回路１１等の回路要素はこの筐体１７内に収納されている。また、上記支柱４０は、固定ネジ４３および回転球４２を含む回転調節機構４１を有する。この回転調節機構４１が向き変更部をなす。
【００５６】
図２(Ｂ)に示すように、この筐体１７の第１の面１７ａに、マイクロ波ミリ波受信アンテナである第１のアンテナとしての平面アンテナ１４が取り付けられている。一方、図２(Ａ)に示すように、上記第１の面１７ａの裏面である第２の面１７ｂに、地上放送波を受信するためのアンテナであり、第２のアンテナである平面アンテナ１６が取り付けられている。
【００５７】
具体的な構成の一例として、地上放送波受信用の平面アンテナ１６は、図２(Ａ)に示すように、誘電体基板１６Ａにスパイラル形状に金属の線路１６Ｂが印刷されてなる。この平面アンテナ１６の金属の線路１６Ｂは、全体として長方形状であるスパイラル線路であり、このスパイラル線路は線路共振器９８と線路共振器９９を含む。この線路共振器９８は、第２の面１７ｂの長手方向(水平方向)に延在しており、互いに略平行で長さが異なる複数の略１/２波長線路を有する。また、上記線路共振器９９は、第２の面１７ｂの長手方向に略直角(垂直方向)に延在しており、互いに略平行で長さが異なる複数の略１/２波長線路を有する。また、この平面アンテナ１６では、誘電体基板１６Ａの裏面は誘電体のままであり、グランド部は不平衡・平衡変換器(バラン)を介して不平衡線路から平衡線路に変換されて、上記スパイラル線路の線路共振器９８,９９の一端に接続されている。
【００５８】
上記平面アンテナ１６は、複数の長さの異なる略１/２波長線路による線路共振器９８,９９を有しているので、ＶＨＦ帯およびＵＨＦ帯で広帯域特性を有する。また、上記平面アンテナ１６は、水平偏波用の線路共振器９８と垂直偏波用の線路共振器９９を有しているので、指向性の弱い、つまり、略全方位に対して受信可能なアンテナ特性を有する。
【００５９】
なお、誘電体基板１６Ａは、誘電率が通常２〜１４の有機基板(例えばガラスフッ素基板)であり、この誘電体基板１６Ａ上や誘電体基板１６Ａ中では、共振波長が短縮され、空気中の波長に比べて短縮されてしまう。このため、ここでは、上記波長短縮の影響を含めた条件において、略１/２波長線路を有する線路共振器９８,９９とした。
【００６０】
さらに詳述すれば、上記線路共振器９８,９９の共振波長は誘電体基板１６Ａの誘電率によって異なる上に、誘電体基板(積層基板)１６Ａ中に金属の配線パターンを形成するか、誘電体基板上(片方の面が空気に接する)に金属の配線パターンを作るかで異なる。このため、上記共振波長は実験的に決めた方が望ましい。
【００６１】
例えば、誘電率１２の有機基板を使用し誘電体基板の表面上に金属の配線パターンを形成した場合、ＴＶ放送のＵＨＦ帯の低域側(約４５０ＭＨｚ付近)では、略１/２波長に相当する長さが１０ｃｍ程度である。したがって、上記スパイラル線路が有する線路共振器９８の最も外側の略１/２波長線路１６Ｂ１の長さを１０ｃｍ程度とする。そして、この最も外側の略１/２波長線路１６Ｂ１から、内側に向かって、各線路のライン幅を１ｍｍとし、各線路のライン間のスペースを１ｍｍとし、１つの連続したスパイラル線路１６Ｂ(単一スパイラル線路)を、１０巻き以上のスパイラル配線とする。このようなスパイラル線路とすれば、ＵＨＦ帯の低域からＵＨＦ帯の高域側(約８００ＭＨｚ)に対応した平面アンテナ１６を実現できる。
【００６２】
なお、このスパイラル線路１６Ｂを形成する誘電体基板１６Ａの平面の形状は正方形あるいは長方形であっても構わない。加えて、上記線路共振器９８,９９は、略１/４線路共振器としても動作するので、平面アンテナ１６はＶＨＦ帯(１００ＭＨｚ〜３００ＭＨｚ)でもアンテナとして使用可能である。また、この平面アンテナ１６では、バラン等用いて平衡線路に変換したが、上記平面アンテナ１６において、線路共振器９８,９９と同じ平面上にバランを配置しても構わない。
【００６３】
一方、図２(Ｂ)に示す第１のアンテナである平面アンテナ１４の裏面の筐体１７の第１の面１７ａの裏側つまり筐体１７内には、マイクロ波ミリ波無線受信部１９の周波数ダウンコンバータ回路１１が配置されている。この筐体１７の底面には、周波数ダウンコンバータ回路１１からの信号波が出力される出力端子２５ａが設置されている。また、筐体１７の底面には、上記地上放送波用の平面アンテナ１６が出力するＵＨＦ帯あるいはＶＨＦ帯の信号波１が出力される出力端子２６ａが設置されている。
【００６４】
なお、この出力端子２５ａにケーブル２５ｂを接続し、出力端子２６ａに出力ケーブル２６ｂを接続してもよい。この出力ケーブル２６ｂはＴＶ受像機３０の地上放送波入力端子３１に接続され、上記出力ケーブル２５ｂはＴＶ受像機３０の衛星放送入力端子３２に接続される。
【００６５】
この第１実施形態では、地上放送波６５を直接受信する第２アンテナを平面アンテナ１６としたが、第２アンテナとしては、平面アンテナ１６に替えて、例えば、上記出力ケーブル２５ｂ,２６ｂに取り付けた紐状のアンテナで構成してもよい。また、この第１実施形態では、地上波受信用の平面アンテナ１６を受動回路のみで構成したが、適宜、低雑音アンプ等を含むブースタ回路を具備していてもよい。
【００６６】
さらに、上記ＴＶ信号受信装置２０は、上述のごとく、回転調節機構４１を含んだ支柱４０を有するが、この支柱４０はＴＶ受像機３０に取付けられて固定される。なお、支柱４０が有する回転調整機構４１は、モータ等の駆動部を備え、この駆動部で回転調節機構４１を駆動して、筐体１７を回転あるいは傾けて、平面アンテナ１４,平面アンテナ１６の向きを変更可能にしてもよい。
【００６７】
上記構成の第１実施形態では、上記マイクロ波ミリ波無線送信装置１０の入力部５に、衛星放送波またはＶＨＦ帯乃至ＵＨＦ帯の地上放送波の少なくとも一方が入力される。この衛星放送波や地上放送波は、アップコンバータ３でアップコンバートされて、マイクロ波ミリ波無線送信信号６０として平面アンテナ４から出力される。
【００６８】
この無線送信装置１０の平面アンテナ４から出力されたマイクロ波ミリ波無線送信信号６０は、ＴＶ信号受信装置２０の平面アンテナ１４で受信される。この平面アンテナ１４で受信されたマイクロ波ミリ波無線送信信号６０は、周波数ダウンコンバータ回路１１で周波数ダウンコンバートされ、第１の出力信号２４としてＴＶ信号切換スイッチ９に入力される。この第１の出力信号２４は、無線送信装置１０の入力部５に入力されるＴＶ放送波と同質の再生信号である。この第１の出力信号２４は、次に述べるＴＶ信号切換スイッチ９を経由して、ＴＶ受像機３０の衛星放送入力端子３２または地上放送波入力端子３１へ入力される。
【００６９】
一方、このＴＶ信号受信装置２０が有する平面アンテナ１６は、地上放送波６５を直接受信して、第２の出力信号１をＴＶ信号切換スイッチ９に入力する。この第２の出力信号１すなわち、ＵＨＦ帯またはＶＨＦ帯の信号波は、次に述べるＴＶ信号切換スイッチ９を経由して、第２の出力端子２６ａから出力され、ＴＶ受像機３０の地上波入力端子３１へ入力される。
【００７０】
ここで、上記マイクロ波ミリ波無線送信装置１０がＵＨＦ帯(あるいはＶＨＦ帯)の放送信号をマイクロ波ミリ波無線送信信号６０として、マイクロ波ミリ波無線モード６１で、ＴＶ信号受信装置２０に伝送した場合には、地上波受信用の平面アンテナ１６による第２の出力信号１とＴＶ信号受信装置２０が出力する第１の出力信号２４とで映像信号が一部重複することとなる。
【００７１】
この場合のＴＶ信号切換スイッチ９の動作を説明する。上記第１の出力信号２４は、出力検出回路２９によって、電圧としてダイオード検波される。そして、この出力検出回路２９は、上記検波結果を表す検出信号を上記ＴＶ信号切換スイッチ９に入力する。すると、このＴＶ信号切換スイッチ９は、上記検出信号が表す検波結果が所定の検波レベル電圧以上であれば、マイクロ波ミリ波無線モード６１に切り替えられ、第２の出力信号１を第２の出力線８Ｂに出力せずに、第１の出力信号２４を第１出力線８Ａに出力する。一方、上記検出信号が表す検波結果が所定の検波レベル電圧未満であれば、第１の出力信号２４を第１出力線８Ａに出力せずに、第２の出力信号１を第２出力線８Ｂに出力する。これを、地上波室内アンテナモードとする。
【００７２】
つまり、このＴＶ信号切換スイッチ９によれば、マイクロ波ミリ波無線受信部１９が動作していないときや、周波数ダウンコンバータ回路１１が出力する第１出力信号２４の出力レベルが所定値に達していないときには、第１出力信号２４を第１出力線８Ａに出力せず、第２出力信号１を第２出力線８Ｂに出力する。
【００７３】
次に、図３を参照して、この第１実施形態のＴＶ信号送受信装置の建物７１内での伝送形態(配置例)を説明する。この伝送形態では、上記マイクロ波ミリ波無線送信装置１０は、建物７１内の上隅付近に配置されている。一方、ＴＶ信号受信装置２０は、建物７１内の下隅付近に配置された一例として液晶テレビからなるＴＶ受像機３０の上辺に配置されている。
【００７４】
上記マイクロ波ミリ波無線送信装置１０の入力部５には、一例として、衛星放送波信号またはＵＨＦ帯放送信号のどちらか一方、もしくは衛星放送波とＵＨＦ帯放送波が混合された信号が入力される。そして、マイクロ波ミリ波無線送信装置１０が有する平面アンテナ４は、ＴＶ信号受信装置２０の平面アンテナ１４に向けて、マイクロ波ミリ波無線送信信号６０を送信する。
【００７５】
ここで、上記平面アンテナ１４は、指向性アンテナであるから、図２に示した回転調整機構４１でもって、平面アンテナ１４の向きをマイクロ波ミリ波無線送信装置１０が有する平面アンテナ４に向けることが望ましい。一例として、上記回転調整機構４１は、出力検出回路２９の出力信号をモニタしながら、この出力信号が最大強度になるように、平面アンテナ１４を自動的に回転させる機能を有していればより望ましい。
【００７６】
なお、ＴＶ信号受信装置２０が有する平面アンテナ１６が地上放送波６５を受信していて、この平面アンテナ１６が出力する第２出力信号１が第２出力線８Ａから第２出力端子２６ａに出力されている場合には、平面アンテナ１６がほぼ無指向性であることから、上記回転調整機構４１を調節する必要はない。
【００７７】
したがって、マイクロ波ミリ波無線送信装置１０からのマイクロ波ミリ波無線送信信号６０が人体等で遮断された場合でも、上述のＴＶ信号切換スイッチ９でもって、地上波室内アンテナモード６６に切り替えることにより、瞬時に映像特性をサポートでき、マイクロ波ミリ波無線モードの補助機能として動作することが可能となる。
【００７８】
また、上記ＴＶ信号受信装置２０は、上記出力ケーブル２５ｂ,２６ｂに付属して、ＴＶ受像機３０に接続されて、ＴＶ受像機３０からの電源電力をＴＶ信号受信装置２０に供給する電源ケーブルを備えてもよい。さらに、このＴＶ受像機３０に付属のリモートコントローラで上記電源ケーブルへの電源電力の供給をオンオフするようにしてもよい。
【００７９】
また、上述のごとく、上記出力検出回路２９は、第１出力線８Ａに出力された第１の出力信号２４の信号レベルを検出して、この検出結果を表す検出信号をＴＶ信号切換スイッチ９に入力する。ここで、この検出信号が常に入力される制御回路を備え、この制御回路でもって、周波数ダウンコンバータ回路１１の電源をオンオフ制御するようにしてもよい。すなわち、上記検出信号が所定のレベル以上であり、上記マイクロ波ミリ波無線モード６１である場合には、上記制御回路は周波数ダウンコンバータ回路１１の電源をオン状態に保つ。一方、上記検出信号が所定のレベル未満であり、上記地上波室内アンテナモード６６である場合には、上記制御回路は上記周波数ダウンコンバータ回路１１の電源をオフにするようにしてもよい。この場合には、低消費電力動作が可能となる。
【００８０】
また、上記実施形態では、図２(Ｂ)に示すように、ＴＶ信号受信装置２０の筐体１７の第１の面１７ａにＬＥＤ５１ａ,５１ｂ,５１ｃを備え、このＬＥＤ５１ｃが点灯しているときには、上記地上波室内アンテナモード６６であることを示し、ＬＥＤ５１ｂが点灯しているときには、上記マイクロ波ミリ波無線モード６１であることを示している。また、上記ＬＥＤ５１ａは、上記マイクロ波ミリ波無線モード６１における上記第１の出力信号２４の信号レベルの高低に応じて点灯,非点灯となる。これにより、上記ＬＥＤ５１ａ〜５１ｃを参照することで、マイクロ波ミリ波無線モード６１で伝送を利用している場合なのか、室内の平面アンテナ１６を利用している地上波室内アンテナモード６６で利用している場合なのかを、その場で認識でき、平面アンテナ１４,１６の方向調整をより容易にすることができる。
【００８１】
なお、上記ＬＥＤ５１ａは、上記第１の出力信号２４が上記所定のレベル以上のときに点灯し、上記第１の出力信号２４が上記所定のレベル未満のときに点灯しないようにすれば、このＬＥＤ５１ａの点灯と非点灯を確認するだけでマイクロ波ミリ波無線モード６１であるのか地上波室内アンテナモード６６であるのかが判明するからより好ましい。
【００８２】
また、上記ＴＶ受像機３０に付属するリモートコントローラで、上記回転調整機構４１を遠隔制御可能とすればより好ましい。すなわち、上記リモートコントローラで、回転調整機構４１をコントロールして、平面アンテナ１４の方向を調節できることが望ましい。
【００８３】
上述の如く、この第１実施形態のＴＶ信号送受信装置によれば、地上放送波も衛星放送も受信することが可能となり、屋内のアンテナのケーブル配線を取り去ることが可能となるのみならず、ＵＨＦ放送波もマイクロ波ミリ波無線伝送することによってより、よりクリアな映像特性を得ることが可能となる。
【００８４】
加えて、上記ＴＶ信号受信装置２０を取り付けたＴＶ受像機３０が持ち運び可能な液晶ＴＶであれば、マイクロ波ミリ波電波が届くところでは、マイクロ波ミリ波無線モード６１で使用し、上記電波が届かないところであれば、内部の地上波室内アンテナモード６６で使用できる。このため、室内であればどこでもＴＶ受像機３０持ち運んでＴＶ放送を視聴可能になるという効果も生ずる。
【００８５】
また、マイクロ波ミリ波無線モード６１で、地上放送波を伝送している場合は、地上波室内アンテナモード６６よりも品質の高い良好な映像特性が確保できる。これに加えて、地上波室内アンテナモード６６とマイクロ波ミリ波無線モード６１とを自動的に切り替える構成であるので、マイクロ波ミリ波無線モード６１の電波が、何らかの原因(例えば人による遮断等)で途切れても、地上波室内アンテナモード６６へ切り替えて使用することができ、より高信頼性な映像受信特性を確保できる。
【００８６】
なお、上記ミリ波を送信するアンテナ４、およびミリ波を受信する平面アンテナ１４はマイクロストリップパッチアンテナやスロットアンテナ等の平面アンテナで構成され、通常指向性を有している。また、この実施形態では、ＴＶ受像機３０は持ち運び可能な液晶ＴＶ３０等であることが望ましい。
【００８７】
また、上記第１実施形態では、マイクロ波ミリ波無線送信装置１０は基準信号とＴＶ信号波をマイクロ波ミリ波にアップコンバートして無線伝送し、このアップコンバートされた基準信号とＴＶ信号波を受信側のＴＶ信号受信装置２０の周波数ミキサでダウンコンバートする構成としたが、送信機である無線送信装置１０と受信機であるＴＶ信号受信装置２０の両方が局部発振器７を有する通常のヘテロダイン構成で、アップコンバータ３とダウンコンバータ回路１１を構成してもよい。
【００８８】
(第２の実施の形態)
次に、図４に、この発明の第２実施形態としてのテレビジョン信号送受信装置を示す。このテレビジョン信号送受信装置は、マイクロ波ミリ波無線送信装置１１０とＴＶ信号受信装置１２０を備える。
【００８９】
上記マイクロ波ミリ波無線送信装置１１０は、第１のマイクロ波ミリ波無線送信機１１０ａと第２のマイクロ波ミリ波無線送信機１１０ｂを有する。
【００９０】
上記第１のマイクロ波ミリ波無線送信機１１０ａは、第１の放送波としての衛星放送波が入力される第１の放送受信部としての入力部１０５ａと周波数変換基準信号付加回路１０２ａとアップコンバータ１０３ａと水平偏波(Ｈ偏波)用平面アンテナ１０４ａを有する。上記周波数変換基準信号付加回路１０２ａとアップコンバータ１０３ａと水平偏波用平面アンテナ１０４ａが、上記衛星放送波を水平偏波(Ｈ偏波)のマイクロ波ミリ波帯の無線信号１６０ａにして無線送信する第１のマイクロ波ミリ波無線送信部をなす。
【００９１】
また、上記第２のマイクロ波ミリ波無線送信機１１０ｂは、第２の放送波としてのＵＨＦ帯(またはＶＨＦ帯)の地上放送波が入力される第２の放送受信部としての入力部１０５ｂと周波数変換基準信号付加回路１０２ｂとアップコンバータ１０３ｂと垂直偏波(Ｖ偏波)用平面アンテナ１０４ｂを有する。上記周波数変換基準信号付加回路１０２ｂとアップコンバータ１０３ｂと垂直偏波用平面アンテナ１０４ｂが、上記ＵＨＦ帯の地上放送波を垂直偏波(Ｖ偏波)のマイクロ波ミリ波帯の無線信号１６０ｂにして無線送信する第２のマイクロ波ミリ波無線送信部をなす。
【００９２】
一方、上記ＴＶ信号受信装置１２０は、図１のマイクロ波ミリ波無線受信部１９に替えて、マイクロ波ミリ波無線受信部１１９を備えた点が、上述の第１実施形態におけるＴＶ信号受信装置２０と異なる。
【００９３】
このマイクロ波ミリ波無線受信部１１９は、第１のマイクロ波ミリ波無線受信回路としてのＨ偏波用受信部１１９ａと第２のマイクロ波ミリ波無線受信回路としてのＶ偏波用受信部１１９ｂを有する。
【００９４】
このＨ偏波用受信部１１９ａは、上記第１のマイクロ波ミリ波無線送信機１１０ａからの水平偏波の無線信号１６０ａを受信する。また、上記Ｖ偏波用受信部１１９ｂは、上記第２のマイクロ波ミリ波無線送信機１１０ｂからの垂直偏波の無線信号１６０ｂを受信する。
【００９５】
上記Ｈ偏波用受信部１１９ａは、Ｈ偏波用平面アンテナ１１４ａと周波数ダウンコンバータ回路１１１ａを有する。この周波数ダウンコンバータ回路１１１ａは、アンプＡ１,フィルタＦ１,周波数ミキサＭ１,アンプＡ２を有する。そして、このＨ偏波用受信部１１９ａの出力は、出力線１４４で第１出力端子２５ａに接続されている。
【００９６】
また、上記Ｖ偏波用受信部１１９ｂは、Ｖ偏波用平面アンテナ１１４ｂと周波数ダウンコンバータ回路１１１ｂを有する。この周波数ダウンコンバータ回路１１１ｂは、アンプＡ３,フィルタＦ２,周波数ミキサＭ２,アンプＡ４を有する。そして、このＨ偏波用受信部１１９ｂの出力は、出力線１４３で第２出力端子２６ａに接続されている。
【００９７】
なお、この第２実施形態では、ＴＶ信号受信装置１２０が有する地上波受信用の平面アンテナ１６,ＴＶ信号切換スイッチ９,出力検出回路２９,出力端子２５ａ,２６ａの構成は、前述の第１実施形態と同様である。また、ＴＶ信号受信装置１２０の出力端子２５ａ,２６ａが、それぞれ、ＴＶ受像機３０の地上放送波入力端子３１,衛星放送入力端子３２に接続されている点も前述の第１実施形態と同様である。
【００９８】
図５(Ａ),(Ｂ)に、上記ＴＶ信号受信装置１２０の外観構造を示す。図５(Ａ)に示すように、このＴＶ信号受信装置１２０が有する地上波受信用の平面アンテナ１６は、図２(Ａ)に示す平面アンテナ１６と同じ構成である。また、ＴＶ信号受信装置１２０が、回転調節機構４１を含む支柱４０を有する点も第１実施形態と同様である。一方、図５(Ｂ)に示すように、このＴＶ信号受信装置１２０は、その筐体１７の第１面１７ａに、上記Ｈ偏波用平面アンテナ１１４ａとＶ偏波用平面アンテナ１１４ｂが長手方向に隣り合って配置されている。また、ＬＥＤ１５１ａ,１５１ｂ,１５１ｃが一方の短辺に沿って縦に配列されている。このＬＥＤ１５１ａ,１５１ｂ,１５１ｃは、それぞれ、図２(Ｂ)のＬＥＤ５１ａ,５１ｂ,５１ｃに相当する機能を有する。また、第１の出力端子２５ａ,第２の出力端子２６ａ、およびケーブル２５ｂ,２６ｂについても、図２(Ｂ)に示す第１実施形態と同様である。
【００９９】
次に、この第２実施形態の動作を説明する。第１のマイクロ波ミリ波無線送信機１１０ａの入力部１０５ａには、衛星放送波が入力される。この衛星放送波は、周波数変換基準信号付加回路１０２ａで周波数変換と基準信号の付加が行われ、アップコンバータ１０３ａで周波数上昇変換され増幅されて、Ｈ偏波用平面アンテナ１０４ａで、Ｈ偏波のマイクロ波ミリ波無線信号１６０ａとして送信される。
【０１００】
このＨ偏波のマイクロ波ミリ波無線信号１６０ａは、ＴＶ信号受信装置１２０のＨ偏波用受信部１１９ａのＨ偏波用平面アンテナ１１４ａで受信され、周波数ダウンコンバータ回路１１１ａで周波数ダウンコンバートされて、上記衛星放送波のＩＦ信号波が出力線１４４に第１の出力信号の内の衛星放送信号１４４Ｓが出力される。この衛星放送信号１４４Ｓは、第１出力端子２５ａからＴＶ受像機３０の衛星放送入力端子３２に入力される。
【０１０１】
一方、第２のマイクロ波ミリ波無線送信機１１０ｂの入力部１０５ｂには、上記地上放送波が入力される。この地上放送波は、周波数変換基準信号付加回路１０２ｂで周波数変換と基準信号の付加が行われ、アップコンバータ１０３ｂで周波数上昇変換され増幅されて、Ｖ偏波用平面アンテナ１０４ｂで、Ｖ偏波のマイクロ波ミリ波無線信号１６０ｂとして送信される。
【０１０２】
このＶ偏波のマイクロ波ミリ波無線信号１６０ｂは、ＴＶ信号受信装置１２０のＶ偏波用受信部１１９ｂのＶ偏波用平面アンテナ１１４ｂで受信され、周波数ダウンコンバータ回路１１１ｂで周波数ダウンコンバートされて、上記地上放送波信号が再生され、出力線１４３に第１の出力信号の内の地上放送信号１４３Ｓが出力される。この地上放送信号１４３Ｓは、ＴＶ信号切換スイッチ９に入力される。
【０１０３】
一方、平面アンテナ１６は、地上放送波６５を直接受信して、第２の出力信号１をＴＶ信号切換スイッチ９に入力する。このＴＶ信号切換スイッチ９と上記出力検出回路２９の動作は、前述の第１実施形態と同様であるので、ここでは説明を省略する。
【０１０４】
この第２実施形態では、上記マイクロ波ミリ波無線送信装置１１０は、衛星放送波については、第１のマイクロ波ミリ波無線送信機１１０ａでもって、Ｈ偏波の無線信号１６０ａに変換して送信する。ここで、この第１のマイクロ波ミリ波無線送信機１１０ａの周波数変換基準信号付加回路１０２ａによって付加される基準信号の周波数ｆｏ、および、上記無線信号１６０ａの周波数ｆ２の具体的一例としては、ｆｏ＝５９.０１ＧＨｚ、ｆ２＝６０.０４ＧＨｚ〜６１.１ＧＨｚとした。
【０１０５】
一方、第２のマイクロ波ミリ波無線送信機１１０ｂが送信するＶ偏波のマイクロ波ミリ波無線信号１６０ｂについては、上記周波数変換基準信号付加回路１０２ｂで付加される基準信号の周波数ｆｏ、および、上記無線信号１６０ｂの周波数ｆ１の一例として、ｆｏ＝５９.０１ＧＨｚ、ｆ１＝５９.４ＧＨｚ〜５９.８ＧＨｚおよび６０.８ＧＨｚ〜６１.０ＧＨｚとしている。
【０１０６】
上述したように、この第２実施形態では、衛星放送波と地上放送波をマイクロ波ミリ波の無線信号１６０ａと１６０ｂとで無線伝送するに際し、無線信号１６０ａと１６０ｂとで偏波を異ならせ、受信側のＴＶ信号受信装置１２０のＨ偏波用受信部１１９ａとＶ偏波用受信部１１９ｂとで、Ｈ偏波の無線信号１６０ａとＶ偏波の無線信号１６０ｂとを独立して受信する。これにより、Ｈ偏波用とＶ偏波用の受信部１１９ａ,１１９ｂのそれぞれにおいて、周波数ダウンコンバータ回路１１１ａ,１１１ｂでのダウンコンバート時において、互いに２倍波歪や２次の相互変調歪みの影響を軽減でき、トータルとして、ＵＨＦ帯等の地上放送波から衛星放送波までの広帯域のミリ無線伝送を同時に実行可能となる。
【０１０７】
さらに、この第２実施形態では、ＵＨＦ帯等の地上放送波と衛星放送波が、マイクロ波ミリ波の無線信号１６０ａと１６０ｂにアップコンバートされ、次に、ダウンコンバートされて、衛星放送信号１４４Ｓと地上放送信号１４３Ｓとされる一連の過程で、両者の信号が独立する。このため、互いの信号１４３Ｓと１４４Ｓによる混変調の影響も発生することがなくなる。また、送信機１１０ａ,１１０ｂ側の入力レベルを、互いに独立に制御できるので、入力レベルの調整等が著しく容易になるというメリットも生ずる。
【０１０８】
また、この第２実施形態では、衛星放送波のための第１のマイクロ波ミリ波無線送信機１１０ａと、地上放送波のための第２のマイクロ波ミリ波無線送信機１１０ｂとを備えた。したがって、第１のマイクロ波ミリ波無線送信機１１０ａと第２のマイクロ波ミリ波無線送信機１１０ｂとの配置を屋内において自由な配置で設置可能となる。例えば、図６に示すように、通常の一般的な建物(家屋)１７１において、衛星放送波入力端子１５０ａが屋外から屋内に引き込まれて天井付近の一方の端に配置され、地上放送波入力端子１５２が屋外から屋内に引き込まれて床付近の他方の端に配置されている場合がある。このように、衛星放送波入力端子１５０ａと地上放送波入力端子１５２とが離れている場合でも、衛星放送端子１５０ａの近くに衛星放送波のための第１のマイクロ波ミリ波無線送信機１１０ａを配置できる。また、上記天井付近の他方の端に地上放送波のための第２のマイクロ波ミリ波無線送信機１１０ｂを配置でき、この無線送信機１１０ｂの入力部１０５ｂから延長させた入力線１５０ｂを地上放送波入力端子１５２に接続できる。なお、ＴＶ受像機３０の上辺にＴＶ信号受信装置１２０が取り付けられ、このＴＶ信号受信装置１２０のＨ偏波用受信部１１９ａとＶ偏波用受信部１１９ｂが、それぞれ、無線送信機１１０ａと１１０ｂからのＨ偏波無線信号１６０ａとＶ偏波無線信号１６０ｂを受信する。もっとも、衛星放送波入力端子１５０ａと地上放送波入力端子１５２とが接近して設置されている場合には、無線送信機１１０ａと１１０ｂとを隣接して配置してもよい。また、衛星放送用の無線送信機１１０ａと地上放送用の無線送信機１１０ｂとを１つの筐体に収容して、１機のマイクロ波ミリ波無線送信装置１１０としてもよい。
【０１０９】
また、この第２実施形態では、衛星放送波に対して、Ｈ偏波の無線信号１６０ａを割り当て、地上放送波に対して、Ｖ偏波の無線信号１６０ｂを割り当てたが、Ｈ偏波の無線信号１６０ａとＶ偏波の無線信号１６０ｂを複数の衛星放送波に割り当ててもよい。この場合、ＴＶ信号受信装置１２０は、地上波受信用の平面アンテナ１６が出力する第２の出力信号１を出力するための第３の出力端子を備えてもよい。
【０１１０】
また、上記地上放送波は、ＵＨＦ帯の地上放送波に限らず、ＶＨＦ帯の地上放送波であってもよく、ケーブルＴＶ(ＣＡＴＶ)放送波であってもよい。
【０１１１】
また、この第２実施形態では、第１のマイクロ波ミリ波送信機１１０ａは、衛星放送波信号に基準信号を付加した無線信号１６０ａを送信し、第２のマイクロ波ミリ波送信機１１０ｂは、地上放送波信号に基準信号を付加した無線信号１６０ｂを送信したが、上記第１,第２のマイクロ波ミリ波送信機１１０ａ,１１０ｂは局部発振信号を使用する通常のヘテロダイン構成であってもよい。また、上記マイクロ波ミリ波無線受信部１１９のＨ偏波用受信部１１９ａ,Ｖ偏波用受信部１１９ｂについても通常のヘテロダイン構成としてもよい。また、衛星放送波をＶ偏波の無線信号で伝送し、地上放送波をＨ偏波の無線信号で伝送してもよい。
【図面の簡単な説明】
【０１１２】
【図１】図１は、この発明の第１実施形態としてのテレビジョン信号送受信装置の構成を示すブロック図である。
【図２】図２(Ａ)は上記第１実施形態が有するＴＶ信号受信装置２０のアンテナ１６,筐体１７を示す外観構造図であり、図２(Ｂ)は上記ＴＶ信号受信装置２０のアンテナ１４,筐体１７を示す外観構造図である。
【図３】図３は、上記第１実施形態における無線送信装置１０とＴＶ信号受信装置２０の配置の一例を示す図である。
【図４】図４は、この発明の第２実施形態としてのテレビジョン信号送受信装置の構成を示すブロック図である。
【図５】図５(Ａ)は上記第２実施形態が有するＴＶ信号受信装置１２０のアンテナ１６,筐体１７を示す外観構造図であり、図５(Ｂ)はＴＶ信号受信装置１２０のアンテナ１１４ａ,１１４ｂと筐体１７を示す外観構造図である。
【図６】図６は上記第２実施形態における無線送信装置１１０とＴＶ信号受信装置１２０の配置の一例を示す図である。
【図７】図７は第１従来例を示す図である。
【図８】図８は第２従来例を示す図である。
【図９】図９は第３従来例を示す図である。
【符号の説明】
【０１１３】
１  第２の出力信号
２  周波数変換基準信号付加回路
３  アップコンバータ
４  平面アンテナ
５  入力部
８Ａ  第１出力線
８Ｂ  第２出力線
９  ＴＶ信号切換スイッチ
１０,１１０  マイクロ波ミリ波無線送信装置
１１  周波数ダウンコンバータ回路
１４,１６  平面アンテナ
１７  筐体
１９  マイクロ波ミリ波無線受信部
２０,１２０  ＴＶ信号受信装置
２４  第１の出力信号
２５ａ  第１の出力端子
２６ｂ  第２の出力端子
３０  ＴＶ受像機
４０  支柱
４１  回転調節機構
６０  マイクロ波ミリ波無線信号
６１  マイクロ波ミリ波無線モード
６５  地上放送波
６６  地上波室内アンテナモード
９８  水平偏波用の線路共振器
９９  垂直偏波用の線路共振器
１０４ａ,１０４ｂ  平面アンテナ
１０５ａ,１０５ｂ  入力部
１１０ａ  第１のマイクロ波ミリ波無線送信機
１１０ｂ  第２のマイクロ波ミリ波無線送信機
１１１ａ,１１１ｂ  周波数ダウンコンバータ回路
１１４ａ  Ｈ偏波用平面アンテナ
１１４ｂ  Ｖ偏波用平面アンテナ
１１９ａ  Ｈ偏波用受信部
１１９ｂ  Ｖ偏波用受信部
【図１】
2005086300.tif 000003
【図２】
2005086300.tif 000004
【図３】
2005086300.tif 000005
【図４】
2005086300.tif 000006
【図５】
2005086300.tif 000007
【図６】
2005086300.tif 000008
【図７】
2005086300.tif 000009
【図８】
2005086300.tif 000010
【図９】
2005086300.tif 000011